(57)【要約】【課題】着用により運動中及び運動後の皮膚温度、口腔温、心拍数を平常状態に近い生理状態に保つことで、疲労の低減及び回復を体感できる、生理改善繊維を提供する。【解決手段】公定水分率１％以下の疎水性繊維に親水性物質を付与することにより、２０℃６５％ＲＨの水分率と４０℃９０％ＲＨの水分率との差が０．５％以上で、かつ２０℃６５％ＲＨから４０℃９０％ＲＨに環境が変化する際水分率が４０分以内に飽和に達する、かつ４０℃９０％ＲＨから２０℃６５％ＲＨに環境が変化する際水分率が４０分以内に平衡に達するようにする。【選択図】なし【特許請求の範囲】
【請求項１】
公定水分率１％以下の疎水性繊維に親水性物質を付与されてなる生理改善繊維であって、２０℃６５％ＲＨの水分率と４０℃９０％ＲＨの水分率との差が０．５％以上で、かつ２０℃６５％ＲＨから４０℃９０％ＲＨに環境が変化する際水分率が４０分以内に飽和に達する、かつ４０℃９０％ＲＨから２０℃６５％ＲＨに環境が変化する際水分率が４０分以内に平衡に達することを特徴とする生理改善繊維。
【請求項２】
親水性物質が、エチレングリコールを主鎖にもつ高分子、ヒドロキシアミノ酸、ヒドロキシアミノ酸２０％以上で構成されている平均分子量２０００から１０００００の高分子、Ｄ−グルコサミン骨格をもつ化合物から選択される１つ以上の物質であることを特徴とする請求項１記載の生理改善繊維。
【発明の詳細な説明】
【技術分野】
【０００１】
本発明は、衣料として着用した場合、運動中及び運動後における皮膚温度、口腔温、心拍数を平常状態に近い生理状態に保つ効果を有する生理改善繊維に関する。
【背景技術】
【０００２】
これまで、所謂快適性機能を有する繊維は多数提案され、実用化されているが、それらは着用感に影響すると考えられる繊維自身の物理的あるいは化学的特性を改善したものや、着用者が感覚として心地よいあるいは不快ではないと感じるような機能を持たせたものであった。
【０００３】
例えば、汗による不快感を改善するために、吸水性と速乾性を併せ持つ繊維、吸湿性と放湿性を併せ持つ繊維、あるいは通気性を向上させた繊維などが提案されている。他に、軽量化により身体への負担を低減させた繊維、制電効果により着用時の不快感を低減させた繊維、保温蓄熱性向上により主に冬季の着用感を向上させている繊維などが提案され、快適性繊維という一つの分野を形成している。特許文献１では、編目の構成が三層構造を有し、表面層が異型断面ポリエステルフィラメント糸、中間層がポリアルキレンオキサイド変性物とポリアミドの混合物からなる芯成分と、ポリアミドからなる鞘成分で構成された芯鞘複合型吸放湿性合成繊維、裏面層が丸断面ポリエステルフィラメント糸でなる制電性、吸水能、吸放湿性とを備えた快適性編物が提案されている。また特許文献２では、平均粒子径０．０１〜１０μｍのシリカ系無機粒子を１〜２０重量％、かつアンチモン元素を２００ｐｐｍ以下の範囲で含有してなるポリエステル組成物およびそれからなる繊維が、高い吸湿性を有し下着、スポーツウェア等に好適に使用できることが示されている。
【０００４】
しかし、着用者の体温や心拍数といった生理的要素を改善する機能を持つ繊維はこれまでに例がない。
【０００５】
【特許文献１】特開２０００−１７８８５７号公報
【特許文献２】特開２００２−２０１３４３号公報
【発明の開示】
【発明が解決しようとする課題】
【０００６】
本発明は、着用により運動中及び運動後の皮膚温度、口腔温、心拍数を平常状態に近い生理状態に保つことで、疲労の低減及び回復を体感できる、生理改善繊維を提供するものである。
【課題を解決するための手段】
【０００７】
本発明者らは、上記課題を達成するために鋭意研究を重ねた結果、ある特定の吸放湿特性を持たせた繊維が生理改善効果を有し、疲労回復を促進できる繊維であることを見出し本発明を完成させた。
【０００８】
本発明者らは衣服内湿度が高くなると発汗量が増え、体温上昇、口腔内温上昇、心拍数増加につながり、不快感をおぼえると考え、衣服内湿度を低くするため、吸湿性、放湿性機能の高い繊維の開発を詳細に検討した。
【０００９】
ここで、「吸湿、放湿機能の高い」という内容であるが、研究の結果、本発明者らは綿やレーヨンなどのようにただ単に吸湿量が高いだけでは効果が出ず、効果を出すためには、吸湿量の他に吸湿放湿の速度が重要な因子であることをつきとめた。吸湿量が多いだけで、吸湿放湿の速度が遅いものは、衣服内湿度を下げるために汗を外に逃がすポンプ的な役目を果たさないので、発汗量が増え、体温上昇、心拍数増加し、不快感になる。吸湿量と吸放湿の速度がうまくバランスをとることにより、汗が外に逃げ、快適性が増す。
【００１０】
すなわち本発明は、公定水分率１％以下の疎水性繊維に親水性物質を付与されてなる生理改善繊維であって、２０℃６５％ＲＨの水分率と４０℃９０％ＲＨの水分率との差が０．５％以上、好ましくは０．７％以上必要であり、吸湿放湿速度については、２０℃６５％ＲＨから４０℃９０％ＲＨに環境が変化する際水分率が４０分以内に飽和に達する、好ましくは３０分以内に飽和に達する、かつ４０℃９０％ＲＨから２０℃６５％ＲＨに環境が変化する際水分率が４０分以内に平衡に達する好ましくは３０分以内に平衡に達することを特徴とする生理改善機能を有する繊維である。
【００１１】
また、好ましくは親水性物質が、エチレングリコールを主鎖にもつ高分子、ヒドロキシアミノ酸、ヒドロキシアミノ酸２０％以上で構成されている平均分子量２０００から１０００００の高分子、Ｄ-グルコサミン骨格をもつ化合物から選択される１つ以上の物質であることを特徴とする、生理改善繊維である。
【発明の効果】
【００１２】
当発明を着用することにより、積極的に食するなどのわずらわしさもなく、簡単に、気軽に生理機能を快適にコントロールでき、疲労を早く回復することができる。
【発明を実施するための最良の形態】
【００１３】
本発明のベース素材としては、より疎水性の高い、すなわち公定水分率１％以下の繊維を用いることが必要である。例としては、ビニリデン、ポリ塩化ビニル、ポリエステル、ポリエチレン、ポリプロピレン、ポリテトラフルオロエチレン、ポリアリレート、ポリウレタン、ベンゾエート、その他フッ素系繊維などである。これらの繊維に特殊な親水加工をすることにより目的を達せられる。
【００１４】
本発明の生理改善繊維では２０℃６５％ＲＨの水分率と４０℃９０％ＲＨの水分率との差が０．５％以上で、かつ２０℃６５％ＲＨから４０℃９０％ＲＨに環境が変化する際水分率が４０分以内に飽和に達する、かつ４０℃９０％ＲＨから２０℃６５％ＲＨに環境が変化する際水分率が４０分以内に平衡に達することを必須の条件とする。
【００１５】
水分率の差が０．５％未満では、水分を吸うという機能に欠けており、充分な効果を発揮しない。吸湿速度が４０分を超えた場合、充分な量の水分を繊維に取り込む時間が長くなるので、衣服内湿度が上昇することとなり、放湿速度が４０分を超えた場合、水分を繊維内に保持する時間が長くなり、やはり衣服内湿度が上昇することとなる。例えば綿やレーヨンなどは、水分率は５％以上あるが、吸湿放湿速度が３〜５時間と長いので適さない。ナイロンも綿やレーヨンよりは優れるが、吸湿放湿速度が１時間と長いので本発明品と比べると劣る。
【００１６】
本発明に用いる親水性物質としては、エチレングリコールを主鎖にもつ高分子、ヒドロキシアミノ酸、ヒドロキシアミノ酸２０％以上で構成されている平均分子量２０００から１０００００の高分子、Ｄ−グルコサミン骨格をもつ化合物を用いるのが好ましい。エチレングリコールを主鎖にもつ高分子としてはエチレングリコール、ジエチレングリコール、トリエチレングリコール、ポリエチレングリコール、ジエチレングリコールモノアクリレート、トリエチレングリコールモノアクリレート、テトラエチレングリコールモノアクリレート、ポリエチレングリコールモノアクリレート、ジエチレングリコールジアクリレート、トリエチレングリコールジアクリレート、テトラエチレングリコールジアクリレート、ポリエチレングリコールジアクリレート、ジエチレングリコールモノメタクリレート、トリエチレングリコールモノメタクリレート、テトラエチレングリコールモノメタクリレート、ポリエチレングリコールモノメタクリレート、ジエチレングリコールジメタクリレート、トリエチレングリコールジメタクリレート、テトラエチレングリコールジメタクリレート、ポリエチレングリコールジメタクリレート、エチレングリコールジグリシジルエーテル、ジエチレングリコールジグリシジルエーテル、トリエチレングリコールジグリシジルエーテル、ポリエチレングリコールジグリシジルエーテル、ポリエチレングリコールポリグリシジルエーテル。ヒドロキシアミノ酸としては、ヒドロキシプロリン、スレオニン、セリン、チロシン等が挙げられ、ヒドロキシアミノ酸２０％以上で構成されている平均分子量２０００から１０００００の高分子としては、セリシン、ポリヒドリキシプロリン、ポリスレオニン、ポリセリン、チロシンなどが挙げられる。Ｄ−グルコサミン骨格をもつ化合物としては、キトサン、キチンなどが挙げられる。
【００１７】
また必要に応じて、アクリル系、ウレタン系、エポキシ系、メラミン系、セルロース系、ポリカルボン酸系のバインダーを用いることもできる。バインダーとしては、Ｓｕｐｅｒｆｅｘ  ３００（第一化学工業）、Ｓｕｐｅｒｆｅｘ  Ｅ２０００（第一化学工業）、Ｔｅｉｓａｎ  Ｒｅｓｉｎ  Ａ−１１４（帝国化学）、Ｔｅｉｓａｎ  Ｒｅｓｉｎ  ＮＦＡ−３６９ＴＢ（帝国化学）、Ｔｅｉｓａｎ  Ｒｅｓｉｎ  Ａ−３６１１（帝国化学）、Ｄｉｃｎａｌ  Ｅ−８３１０（大日本インキ）、Ｄｉｃｎａｌ  ＥＲ−５４（大日本インキ）、Ｄｉｃｎａｌ  Ｅ−４０００（大日本インキ）、Ｄｉｃｎａｌ  Ｅ−５９２（大日本インキ）、Ｈｙｄｒａｎ  ＨＷ−３１１（大日本インキ）、Ｈｙｄｒａｎ  ＨＷ−３３３（大日本インキ）、Ｖｏｎｃｏａｔ  ＡＮ−８６８（大日本インキ）、Ｖｏｎｃｏａｔ  ＡＮ−２０２（大日本インキ）、Ｖｏｎｃｏａｔ  ＡＦ−６１６（大日本インキ）、Ｐｏｌｙｓｏｌ  ＡＴ−３（昭和高分子）、Ｐｏｌｙｓｏｌ  ＥＦ−２００（昭和高分子）、Ｐｏｌｙｓｏｌ  Ｃ−１０（昭和高分子）、Ｐｏｌｙｓｏｌ  ＡＴ−２０１１（昭和高分子）、デナコールＥＸ６１４Ｂ（ナガセケムテックス）、デナコールＥＸ５２１（ナガセケムテックス）、デナコールＥＸ５１２（ナガセケムテックス）、デナコールＥＸ３１３（ナガセケムテックス）、デナコールＥＸ３１４（ナガセケムテックス）、デナコールＥＸ８１０（ナガセケムテックス）、デナコールＥＸ８１１（ナガセケムテックス）、デナコールＥＸ８３０（ナガセケムテックス）、デナコールＥＸ８４１（ナガセケムテックス）、デナコールＥＸ８６１（ナガセケムテックス）、Ｌｉｇｈｔ−ｅｐｏｃｈ  Ｔ−２３Ｍ（共栄社化学）、Ｌｉｇｈｔ−ｅｐｏｃｈＢＸ−７１（共栄社化学）、Ｌｉｇｈｔ−ｅｐｏｃｈ  Ｓ−６０ＮＦ（共栄社化学）などで、使用量は０．００１〜５０%、特に０．０５〜３０%が好ましい。
【００１８】
本発明の製造法は特に限定されないが、親水性物質を含む薬液の付与と脱水などの方法で付与し乾燥することで可能である。余分なバインダーなどを落とすため洗浄工程を入れても構わない。薬液付与方法としては、処理浴中で加熱しながら付与する方法、そのまま浸漬する方法、グラビアなどで塗布する方法、スプレーなどで塗布する方法などが挙げられる。脱水方法も限定されないが、遠心脱水、絞り脱水（例えば加圧された２本のロール間で絞るマングル脱水）、気流式脱水（例えば、吸引あるいは加圧気流の吹き出しによる脱水、真空脱水）、毛管力による吸水性を利用する毛管式脱水など一般的な方法で可能である。乾燥方法についても特に限定されないが、熱風乾燥、シリンダー乾燥、タンブラー乾燥、過熱蒸気乾燥、赤外線乾燥、真空乾燥、減圧乾燥、高周波乾燥などが適用できる。
【００１９】
この後、洗浄を実施しても良く、洗浄方法や使用する洗浄機も限定されない。繊維加工において通常用いられる液流染色機、ウインス染色機、ジッガ染色機、ビーム染色機などが使用でき、また家庭用の洗濯機でもかまわない。洗浄効率を高めるため、脂肪酸塩、ロジン酸塩、ナフテン酸塩、エーテルカルボン酸塩、アルケニルコハク酸塩、Ｎ−アシルサルコシン塩、Ｎ−アシルグルタミン酸塩、硫酸アルキル塩、硫酸化脂肪酸アルキルエステルなどのカルボニル酸型アニオン界面活性剤、オレインスルホン酸塩、第二アルカンスルホン酸塩、スルホ脂肪酸塩、アシルイセチオン酸塩、Ｎ−アシル−Ｎ−メチルタウリン酸塩、ジアルキルスルホコハク酸塩、アルキルベンゼンスルホン酸塩、アルキルナフタレンスルホン酸塩、アルキルジフェニルエーテルジスルホン酸塩、石油スルホン酸塩、リグニンスルホン酸塩などのスルホン酸型アニオン界面活性剤、リン酸アルキル塩、リン酸アルキルポリオキシエチレン塩、リン酸アルキルフェニルポリオキシエチレン塩などのリン酸エステル型アニオン界面活性剤、アルキルアミン塩、アシルアミン塩、第四級アンモニウム塩、アミド結合を含むアンモニウム塩、エステル結合、エーテル結合を有するアンモニウム塩、イミダゾリン、イミダゾリウム塩、アミン誘導体などのカチオン界面活性剤、アルキルポリオキシエチレンエーテル、アルキルポリオキシエチレンポリオキシプロピレンエーテル、脂肪酸ポリオキシエチレンエステル、脂肪酸ポリオキシエチレンソルビタンエステル、脂肪酸ポリオキシエチレンソルビトールエステル、ポリオキシエチレンひまし油、アルキルポリオキシエチレンアミンおよびアミドなどの非イオン界面活性剤、多価アルコール系、アルキロールアミド系非イオン界面活性剤、その他、ポリシロキサン系、シリコーン系、フッ素系、糖脂質系、アシルペプチド系、リン脂質系などの界面活性剤などを通常１０％以下、好ましくは３％以下、特に好ましくは０．５％以下用いてもよい。更には、洗浄力アップのために水酸化ナトリウム、炭酸ナトリウム、炭酸水素ナトリウム、水酸化カリウム、水酸化カルシウム、アンモニア、次亜塩素酸ナトリウムなどのアルカリ、クエン酸、リンゴ酸、酢酸、シュウ酸、ギ酸、リン酸、塩酸、乳酸、酒石酸、フマル酸、グルタミン酸、セリン、コハク酸、マレイン酸、マンデル酸、酪酸、ホウ酸などの酸を適量用いることも可能である。
【実施例】
【００２０】
以下に実施例をあげ、本発明を詳細に説明する。
（Ａ）試料
試料は、市販のスポーツウェアに、
１）ポリエチレングリコール（ＰＥＧ）（ｎａｃａｌａｉ  ｔｅｓｑｕｅ製Ｐｏｌｙｅｔｈｙｌｅｎｅ  Ｇｌｙｃｏｌ#４００）加工を施したもの
２）セリン（ｎａｃａｌａｉ  ｔｅｓｑｕｅ製ＤＬ−Ｓｅｒｉｎｅ）加工を施したもの
３）セリシン（セーレン製  セリシンパウダー）加工を施したもの
４）キトサン（ユニオン化学工業製ＵＮＩＫＡ  ＣＭ−１１７）加工を施したもの
５）従来快適加工１；ポリエステル（ＰＥＴ）樹脂（大原パラジウム製  パラレジンＮ−９０）による親水性加工を施したもの
６）従来快適加工２；セルロース系樹脂（第一工業製薬製  ＤＫＳファインガムＳＰ−６）による親水性加工を施したもの
および７）未加工
を用いた。スポーツウェアの素材は上衣下衣ともポリエステル１００％である。加工方法は、浸漬、マングル脱水、熱風乾燥を１７０℃で２分間の順で行った。浸漬の際の薬液調製を表１に示す。主剤の他バインダーとしてデナコールＥＸ５２１（エポキシ系  ナガセケムテックス製）を用いた。
【００２１】
【表１】
2006207045.tif 000002
【００２２】
表1において重量％とは、調整した薬液全体の重量に対する各加工剤の重量の割合を示している。
【００２３】
（Ｂ）吸湿性
試料の水分特性として、吸湿性と吸湿放湿速度測定を行った。吸湿性は、２０℃６５％ＲＨの標準状態での水分率に加えて４０℃９０％ＲＨの高湿状態での水分率を測定した。またこれら二つの異なる環境での水分率の差を求めた。吸湿性の測定結果を表２に示す。
【００２４】
【表２】
2006207045.tif 000003
【００２５】
ＰＥＧ加工、セリン加工、セリシン加工、キトサン加工については、全ての条件で２０℃６５％ＲＨと４０℃９０％ＲＨでの水分率差が０．５％以上であった。ポリエステル樹脂加工、セルロース樹脂加工は、各３条件のうち１条件のみ０．５％以上で、他の２条件は０．５％未満であった。未加工は０．１％と大幅に下回っていた。
【００２６】
吸湿放湿速度の測定結果を表３に示す。
吸湿速度：Ａ  ２０℃６５％ＲＨから４０℃９０％ＲＨに環境が変化する際水分率が飽和に達する時間
放湿速度：Ｂ  ４０℃６５％ＲＨから２０℃６５％ＲＨに環境が変化する際水分率が平衡に達する時間
Ａの測定方法  試料を１５ｃｍ四方に切り取り、１０５℃５時間以上加熱に恒量にする。次に２０℃６５％ＲＨの環境に２４時間放置後重量を測定する。そして、４０℃９０％ＲＨの環境に移動させてから１分毎に重量を測定し、５分以上重量変化が無くなったら終了する。このとき、重量変化がなくなるまでの時間を求めた。
Ｂの測定方法  試料を１５ｃｍ四方に切り取り、１０５℃５時間以上加熱に恒量にする。次に４０℃９０％ＲＨの環境に２４時間放置後重量を測定する。そして、２０℃６５％ＲＨの環境に移動させてから１分毎に重量を測定し、５分以上重量変化が無くなったら終了する。このとき重量変化がなくなるまでの時間を求めた。
【００２７】
【表３】
2006207045.tif 000004
【００２８】
ＰＥＧ加工、セリン加工、セリシン加工、キトサン加工、ポリエステル樹脂加工、未加工については、全ての条件で４０分以下であった。セルロース樹脂加工は、３条件のうち１条件のみ４０分以下で、他の２条件は４０分を大幅に越えていた。
【００２９】
２０℃６５％ＲＨと４０℃９０％ＲＨでの水分率差が０．５％以上で、かつ２０℃６５％ＲＨから４０℃９０％ＲＨに環境が変化する際水分率が４０分以内に飽和に達する、かつ４０℃９０％ＲＨから２０℃６５％ＲＨに環境が変化する際水分率が４０分以内に平衡に達するの全てを満たしているのは、ＰＥＧ加工、セリン加工、セリシン加工、キトサン加工であった。ポリエステル樹脂加工、セルロース樹脂加工および未加工については全てを満たしていなかった。
【００３０】
（Ｃ）被験者
年齢２０〜２５歳、身長１６０±１０ｃｍ、体重５０±５ｋｇの体型をもつ健康な女子大学生１０名を被験者とした。被験者の身体的特性を表４に示す。なお、性周期や日内リズムによる体温変動の影響をできるだけ少なくするために、実験は各被験者の低体温期とし、被験者ごとに同一時間帯でかつ食後２時間以上経過していることとした。
【００３１】
【表４】
2006207045.tif 000005
【００３２】
（Ｄ）実験期間
平成１６年８月１６日〜９月１７日の間に行った。実験は、１人１日１回として、４日間行った。実験順序は、はじめに未加工を用いた実験を２回、次に加工を用いた実験を２回行った。
【００３３】
（Ｅ）環境条件
室温２７．７±０．１℃、湿度５８．３±１．１％の簡易型人工気象室で行った。
【００３４】
初日にセミヌードで体重測定後、実験用スポーツウェアに着替えてもらい、その時点での主観評価を行った。次に、口腔温、発汗量・皮膚温測定用センサー、衣服内温湿度センサーを取り付けた。また、Ｒ−Ｒ間隔測定装置ハートレイトモニターのトランスミッターを胸部した。実験は、５分間椅座位安静（運動前とする）−１０分間歩行運動（５．５ｋｍ／ｈで３分間、７．５ｋｍ／ｈで５分間、８ｋｍ／ｈで２分間。以後、運動中とする）−１５分間椅座位安静（以後、運動後とする）とした。運動直後には主観評価を行い、測定を終了した。
測定項目および測定機器は以下のとおりである。
口腔温
電対型温度センサーを用い、インターバル２秒で測定した。結果を表５に示す。
皮膚温
株式会社ケーアンドエス社製連続蒸散・発汗測定装置ＡＴＭＯ  ＣＨＡＲＴを用い、インターバル２秒で測定した。測定部位は背部と左大腿部の２点である。結果を表６に示す。
心拍数（Ｒ−Ｒ間隔）
キャノントレーディング株式会社製ＰｏｌａｒバンテージＮＶハートレイトモニターを用い、インターバル２秒で測定した。測定されたＲ−Ｒ間隔値から心拍数を算出した。結果を表７に示す。
衣服内湿度
神栄株式会社製温湿度プローブを用い、インターバル２秒で測定した。測定部位は背部と大腿部の２点である。結果を表８に示す。
主観評価
快適性を不快１点、普通２点、快適３点の３段階、疲労感を、疲れている１点、やや疲れている２点、普通３点の３段階ついて評価させた。結果を表９に示す。
測定値は、全データを平均して算出した。
【００３５】
【表５】
2006207045.tif 000006
【００３６】
判定の項で○は未加工着用時との運動後の口腔温の差が−０．１℃以下で有意な差が有ると認められるもの、△は−０．１℃前後の値で効果が認められるものとした。運動前の口腔温は全てほぼ同じ温度であった。運動後はＰＥＧ加工、セリン加工、セリシン加工、キトサン加工については、全ての条件で未加工より０．１℃以下であった。ポリエステル樹脂加工、セルロース樹脂加工は、各３条件のうち１条件のみ０．１℃以下で、他の２条件は０．１℃未満であった。
【００３７】
【表６】
2006207045.tif 000007
【００３８】
判定項における○は、運動後の皮膚温の差が未加工試料着用時に対して−０．５℃以下で有意な差として認められるもの、△は−０．５℃前後で効果が有ると認められるものを示す。運動前の皮膚温は全てほぼ同じ温度であった。運動後はＰＥＧ加工、セリン加工、セリシン加工、キトサン加工については、全ての条件で未加工より０．５℃以下であった。ポリエステル樹脂加工、セルロース樹脂加工は、各３条件のうち１条件のみ０．５℃以下で、他の２条件は０．５℃未満であった。
【００３９】
【表７】
2006207045.tif 000008
【００４０】
判定項において○は、運動後の心拍数が未加工試料着用時に比べ−５ｂｅａｔ以下で有意な差として認められるもの、△は−５ｂｅａｔ前後で効果が有ると認められるものを示す。運動前は全てほぼ同じ心拍数であった。運動後はＰＥＧ加工、セリン加工、セリシン加工、キトサン加工については、全ての条件で未加工より５ｂｅａｔ以下であった。ポリエステル樹脂加工、セルロース樹脂加工は、各３条件のうち１条件のみ５ｂｅａｔ以下で、他の２条件は５ｂｅａｔ未満であった。
【００４１】
【表８】
2006207045.tif 000009
【００４２】
判定項において○は、運動後の衣服内湿度が未加工試料着用時に比べ−５％以下で有意な差として認められるもの、△は−５％前後で効果が有ると認められるものを示す。運動前は全てほぼ同じ衣服内湿度であった。運動後はＰＥＧ加工、セリン加工、セリシン加工、キトサン加工については、全ての条件で未加工より５%以下であった。ポリエステル樹脂加工、セルロース樹脂加工は、各３条件のうち１条件のみ５%以下で、他の２条件は５%未満であった。
【００４３】
【表９】
2006207045.tif 000010
【００４４】
快適性、疲労感ともＰＥＧ加工、セリン加工、セリシン加工、キトサン加工については、全ての条件で未加工より２点を超えていた。これは、快適と感じる傾向にある、および疲れないと感じる傾向にあることを意味している。ポリエステル樹脂加工、セルロース樹脂加工、５Ｃと６Ａで２点近辺であるが、他の条件は２点以下であり、どちらかといえば不快と感じる、および疲れていると感じる傾向にあった。未加工は、２点未満であり、不快と感じる、および疲れていると感じる傾向にあった。
【００４５】
当発明品については、
・運動終了から１５分間の衣服内湿度が未加工と比べて、最大で０．１以上低下していた。
・運動終了から１５分間の口腔温が未加工と比べて、最大で０．１℃以上低下していた。
・運動終了から１５分間の皮膚温が未加工と比べて、最大で０．５℃以上低下していた。
・運動終了から１５分間の心拍数が未加工と比べて、最大で５ｂｅａｔ／ｍｉｎ以上低下していた。
【００４６】
これらの差は生理的に有意な差である。また主観評価においても、当発明品の方が快適であるおよび疲労感が少ないと回答した被験者が多かった。つまり、本発明品を着用した場合、運動後でも平常状態に近い生理状態を保つことができ、快適、あるいは疲労が早く回復するという体感が得られる。